(57)【要約】【課題】縦方向に延設されているケーブルトレイが貫通している床とケーブルトレイの間から下階への漏水を防止する止水構造を提供することを目的とする。【解決手段】内側にケーブルを収納し縦方向に延設されているケーブルトレイ５が貫通している床７とケーブルトレイ５の間から下階への漏水を防止する止水構造１において、床７の上にケーブルトレイ５と離間してケーブルトレイ５の周囲にカーブ９が配置され、このカーブ９と離間してケーブルトレイ５の周囲を覆うようにカーブ９の上方に第１のボード１７が配置され、第１のボード１７の周囲を覆うように第１の板金１９が配置され、第１のボード１７の下端とカーブ９との間にバックアップ材２１が配置され、第１の板金１９、バックアップ材２１、カーブ９、及び、床７を覆うようにポリウレア２３が吹き付けられ、ポリウレア２３を覆うように第２のボード２５が配置され、第２の板金２７が配置されている。【選択図】図１
2015154619.tif 000002
【特許請求の範囲】
【請求項１】
内側にケーブルを収納し縦方向に延設されているケーブルトレイが貫通している床とケーブルトレイの間から下階への漏水を防止する止水構造において、
床とケーブルトレイの間への浸水を防止するように、立面視において止水性を有する吹付樹脂が床面から上方に伸びてケーブルトレイの周囲に配置されている事を特徴とする止水構造。
【請求項２】
内側にケーブルを収納し縦方向に延設されているケーブルトレイが貫通している床とケーブルトレイの間から下階への漏水を防止する止水構造において、
床の上にケーブルトレイと離間してケーブルトレイの周囲にカーブが配置され、このカーブと離間してケーブルトレイの周囲を覆うようにカーブの上方に第１のボードが配置され、第１のボードの周囲を覆うように第１の板金が配置され、第１のボードの下端とカーブとの間にバックアップ材が配置され、第１の板金、バックアップ材、カーブ、及び、床を覆うようにポリウレアが吹き付けられ、ポリウレアを覆うようにポリウレアを保護する第２のボードが配置され、ポリウレア及び第２のボードを覆うように第２の板金が配置されている事を特徴とする止水構造。
【請求項３】
ケーブルトレイは水平方向に離間して複数配置されており、複数のケーブルトレイを覆うように、第１のボード、第１の板金、バックアップ材、ポリウレア、第２のボード、および、第２の板金が配置されている事を特徴とする請求項２に記載の止水構造。
【請求項４】
第２の板金は１枚の板金から構成されている事を特徴とする請求項２または３に記載の止水構造。
【請求項５】
内部にケーブルを収納し縦方向に延設されているケーブルトレイが貫通している床とケーブルトレイの間から下階への漏水を防止する止水施工方法において、
床の上にケーブルトレイと離間してケーブルトレイの周囲に配置されているカーブと離間してケーブルトレイの周囲を覆うようにカーブの上方に第１のボードを配置し、
第１のボードの周囲を覆うように第１の板金を配置し、
第１のボードの下端とカーブとの間にバックアップ材を配置し、
第１の板金、バックアップ材、カーブ、及び、床を覆うようにポリウレアを吹き付け、
ポリウレアを覆うように第２のボードを配置し、第２のボードを覆うように第２の板金を構成する複数の板金を床上に配置する事を特徴とする止水施工方法。
【発明の詳細な説明】
【技術分野】
【０００１】
本発明は、縦方向に延設されているケーブルトレイが貫通している床とケーブルトレイの間から、下階への漏水を防止する止水構造および止水施工方法に関するものである。
【背景技術】
【０００２】
従来において、パイプシャフト内で設備配管から水漏れ事故が発生した場合でも、下階への漏水を防止することができる、パイプシャフトにおける電気ケーブルの床貫通部止水装置が提案されている（特許文献１）。
【０００３】
この特許文献１は、パイプシャフトにおける電気ケーブルの床貫通部となる箇所に、鋼管製スリーブを床スラブコンクリート打設により設置すると共に、同鋼管製スリーブの長さを床スラブの厚さより大きくし、その上端を床スラブ面より上方へ突出させて設置してなるパイプシャフトにおける電気ケーブルの床貫通部止水装置を開示している。
【先行技術文献】
【特許文献】
【０００４】
【特許文献１】特開平９−２１５１５５号公報
【発明の概要】
【発明が解決しようとする課題】
【０００５】
しかし、特許文献１の電気ケーブルの床貫通部止水装置では、パイプシャフト内に配置された配管設備から漏水した際に、電気ケーブルの床スラブ貫通部を伝って下階の電気盤へ水漏れし、電源接地短絡事故に波及することを防止することを目的としている。
【０００６】
そのため、パイプシャフトの外からパイプシャフト内への浸水を、基本的に考慮していない。よって、パイプシャフトの外からパイプシャフト内へ浸水した際に、配管設備の床スラブ貫通部を伝って下階への漏水してしまう恐れがある。即ち、特許文献１の電気ケーブルの床貫通部止水装置では、このような事態における下階への漏水防止を考慮していないという問題があった。
【０００７】
そこで、本発明は、縦方向に延設されているケーブルトレイが貫通している床とケーブルトレイの間から、下階への漏水を防止する止水構造および止水施工方法を提供することを目的とする。
【課題を解決するための手段】
【０００８】
上記課題を解決するために、請求項１に記載の止水構造に係る発明は、
内側にケーブルを収納し縦方向に延設されているケーブルトレイが貫通している床とケーブルトレイの間から下階への漏水を防止する止水構造において、
床とケーブルトレイの間への浸水を防止するように、立面視において止水性を有する吹付樹脂が床面から上方に伸びてケーブルトレイの周囲に配置されている事を特徴とする。
【０００９】
請求項１に記載の止水構造に係る発明によれば、例えば、図２、図１１に示すように、立面視において止水性を有する吹付樹脂が床面から上方に伸びてケーブルトレイの周囲に配置されているので、縦方向に延設されているケーブルトレイが貫通している床とケーブルトレイの間への浸水を防止することができ、下階への漏水を防止することができる。また、床面や周囲に障害物がある場合なども、吹き付け材を使用するため、形状の自由度が高く、適用箇所に合わせた形状とすることができ、施工の効率性が高くなる。
【００１０】
上記課題を解決するために、請求項２に記載の止水構造に係る発明は、例えば、図１，図２に示すように、
内側にケーブルを収納し縦方向に延設されているケーブルトレイが貫通している床とケーブルトレイの間から下階への漏水を防止する止水構造において、
床の上にケーブルトレイと離間してケーブルトレイの周囲にカーブが配置され、このカーブと離間してケーブルトレイの周囲を覆うようにカーブの上方に第１のボードが配置され、第１のボードの周囲を覆うように第１の板金が配置され、第１のボードの下端とカーブとの間にバックアップ材が配置され、第１の板金、バックアップ材、カーブ、及び、床を覆うようにポリウレアが吹き付けられ、ポリウレアを覆うようにポリウレアを保護する第２のボードが配置され、ポリウレア及び第２のボードを覆うように第２の板金が配置されている事を特徴とする。
【００１１】
請求項２に記載の止水構造に係る発明によれば、ケーブルトレイの周囲に配置された第１の板金、バックアップ材、カーブ、及び、床を覆うように止水性を有する樹脂であるポリウレアが吹き付けられ、ポリウレアを覆うようにポリウレアを保護する第２のボードが配置され、ポリウレア及び第２のボードを覆うように第２の板金が配置されているので、縦方向に延設されているケーブルトレイが貫通している床とケーブルトレイの間への浸水を防止することができ、下階への漏水を防止することができる。また、床面や周囲に障害物がある場合なども、吹き付け材としてのポリウレアを使用するため、形状の自由度が高く、適用箇所に合わせた形状とすることができ、施工の効率性が高くなる。
更に、ポリウレアは 、伸縮性に優れているため、揺れなどによる変位に対する追従性が高く、破損し難いという利点がある。
その上、ロックウール・耐火ボード等の不燃物でポリウレアを覆うことから、耐熱・耐火の観点においても優秀である。
【００１２】
請求項３に記載の止水構造に係る発明は、例えば、図１〜図１１に示すように、ケーブルトレイは水平方向に離間して複数配置されており、複数のケーブルトレイを柱状に覆うように、第１のボード、第１の板金、バックアップ材、ポリウレア、第２のボードおよび、第２の板金が配置されている事を特徴とする。
【００１３】
請求項３に記載の止水構造に係る発明によれば、水平方向に離間して配置された複数のケーブルトレイを柱状に覆うように、第１のボード、第１の板金、バックアップ材、ポリウレア、第２のボード、および、第２の板金が配置されているので、ケーブルトレイ間から下階への漏水を防止することができる。
【００１４】
請求項４に記載の止水構造に係る発明は、第２の板金は１枚の板金から構成されている事を特徴とする。
【００１５】
請求項４に記載の止水構造に係る発明によれば、第２の板金は１枚の板金から構成されているので、接合工程を減らすことができる。
【００１６】
請求項５に記載の止水施工方法に係る発明は、例えば、図３〜図１１に示すように、
内部にケーブルを収納し縦方向に延設されているケーブルトレイが貫通している床とケーブルトレイの間から下階への漏水を防止する止水施工方法において、
床の上にケーブルトレイと離間してケーブルトレイの周囲に配置されているカーブと離間してケーブルトレイの周囲を覆うようにカーブの上方に第１のボードを配置し、
第１のボードの周囲を覆うように第１の板金を配置し、
第１のボードの下端とカーブとの間にバックアップ材を配置し、
第１の板金、バックアップ材、カーブ、及び、床を覆うようにポリウレアを吹き付け、
ポリウレアを覆うように第２のボードを配置し、第２のボードを覆うように第２の板金を床上に配置する事を特徴とする。
【００１７】
請求項５に記載の止水施工方法に係る発明によれば、床の上にケーブルトレイと離間してケーブルトレイの周囲に配置されているカーブと離間してケーブルトレイの周囲を覆うようにカーブの上方に第１のボードを配置し、第１のボードの周囲を覆うように第１の板金を配置し、第１のボードの下端とカーブとの間にバックアップ材を配置し、第１の板金、バックアップ材、カーブ、及び、床を覆うようにポリウレアを吹き付け、ポリウレアを覆うように第２のボードを配置し、第２の板金を床上に配置するので、ポリウレアを容易に吹き付けることができ、縦方向に延設されているケーブルトレイが貫通している床とケーブルトレイの間への浸水を防止するための複数層による丈夫な防水構造を設けることができる。
【発明の効果】
【００１８】
本発明によれば、縦方向に延設されているケーブルトレイが貫通している床とケーブルトレイの間から、下階への漏水を防止する止水構造および止水施工方法を提供することができる。
【図面の簡単な説明】
【００１９】
【図１】本発明に係る止水構造の一例を示す斜視図である。
【図２】図１のＩ-Ｉ断面図である。
【図３】縦方向に延設されているケーブルトレイが床を貫通している一例を示す斜視図である。
【図４】本発明に係る断面Ｌ字型の長尺材をケーブルトレイを挟むように複数取り付けた例を示す斜視図である。
【図５】本発明に係る断面Ｌ字型の長尺材をケーブルトレイを挟むように複数取り付けた例を示す斜視図である。
【図６】本発明に係る複数のボードおよび複数の第１の板金をケーブルトレイを囲むように取り付ける一例を示す斜視図である。
【図７】本発明に係るバックアップ材をボードとカーブ間に挿入する一例を示す斜視図である。
【図８】本発明に係るバックアップ材をボードとカーブ間に挿入した一例を示す斜視図である。
【図９】本発明に係るポリウレアを第１の板金、バックアップ材、カーブ、及び、床に吹き付ける一例を示す斜視図である。
【図１０】本発明に係るポリウレアを第１の板金、バックアップ材、カーブ、及び、床等に吹き付けた一例を示す斜視図である。
【図１１】本発明に係る第２の板金をポリウレアを覆うように取り付ける一例を示す斜視図である。
【発明を実施するための形態】
【００２０】
以下に、図面を参照して、本発明を実施するための一実施の形態について説明する。
【００２１】
＜実施の形態＞
図１，図２は、本発明に係る止水構造の実施の形態を示す。本発明に係る止水構造１は、内側に複数の電源ケーブル３を収納して縦方向に延設されているケーブルトレイ５が貫通している床７上で、ケーブルトレイ５の周囲に設けられる。そして、止水構造１は、床７とケーブルトレイ５の間から、下階への漏水を防止する。
【００２２】
図２，図３に示すように、床７の上にケーブルトレイ５と離間して、ケーブルトレイ５の周囲にカーブ９が配置されている。また、図２に示すように、カーブ９とケーブルトレイ５を繋ぐように、断面Ｌ字型の長尺材１３が、カーブ９とケーブルトレイ５間を塞いでカーブ９とケーブルトレイ５の各々に面接触し配置されている。さらに、図３に示すように、ケーブルトレイ５は、断面コ字型であり、コ字型の開口内側に複数の電源ケーブル３が収納され、縦方向に配置されている複数の横板材１５で電源ケーブル３が押さえられている。そして、複数のケーブルトレイ５の開口が向かい合って、水平方向に離間配置されている。
【００２３】
図２〜図１１に示すように、止水構造１は、カーブ９と離間している複数のケーブルトレイ５の周囲を１本の柱状に覆うようにカーブ９の上方に複数の第１のボード１７が配置され、複数の第１のボード１７の周囲を覆うように複数の第１の板金１９がそれぞれ配置され、複数の第１のボード１７の下端とカーブ９との間にバックアップ材２１が全周に配置され、第１の板金１９、バックアップ材２１、カーブ９、及び、床７を覆うようにポリウレア２３が吹き付けられ、ポリウレア２３を覆うように熱等から保護する第２のボード２５が配置され、ポリウレア２３及び第２のボードを覆うように第２の板金２７が床７上に配置されて構成されている。複数の第１のボード１７には、高さ１２００ｍｍの耐火ボードが使用されている。
【００２４】
図１，図２に示すように、第２の板金２７は、下部が床７に吹き付けられているポリウレア２３上に配置されている。ポリウレア２３は、断熱性と防水性に優れた安価な素材であり、ポリウレア２３の噴き付けは２種類の溶剤を混合して行われる。ポリウレア２３の硬化速度は速く、非常に短時間で乾き硬化するため、液ダレせず、つなぎ目がシームレスで厚塗りが可能である。
【００２５】
図１，図１１に示すように、第２の板金２７は、上部が柱状であり、下部がカーブ９と干渉しないように末広がりの形状をしている。そして、第２の板金２７の下端部は幅を有してポリウレア２３と接触している。
【００２６】
次に、図１〜図１１を参照して、本発明にかかる止水施工方法について説明する。
【００２７】
図３〜図１１は、本発明に係る止水施工方法の実施の形態を示す。本発明に係る止水施工方法は、内側に電源ケーブル３を収納し縦方向に延設されているケーブルトレイ５が貫通している床７上でケーブルトレイ５の周囲において行われる。そして、この止水施工方法により、ポリウレア２３を容易に吹き付けることができ、床７とケーブルトレイ５の間から下階への漏水を防止するための複数層による丈夫な防水構造を設けることができる。
【００２８】
図３に示すように、床７の上に、ケーブルトレイ５と離間してケーブルトレイ５の周囲にカーブ９が配置されている。
【００２９】
始めに、図４，図５に示すように、断面Ｌ字型の複数の長尺材１３を各ケーブルトレイ５を水平方向に挟むように配置し、カーブ９とケーブルトレイ５にボルトおよびナットで固定する。図２に示すように、ケーブルトレイ５の外側に配置されている断面Ｌ字型の長尺材１３は、カーブ９とケーブルトレイ５を繋ぐように、カーブ９とケーブルトレイ５の各々に面接触し配置される。ケーブルトレイ５は、断面コ字型であり、コ字型の開口内側に複数の電源ケーブル３が収納され、縦方向に配置されている複数の横板材１５で電源ケーブル３が押さえられている。
【００３０】
次に、図５に示すように、床７の上にケーブルトレイ５と離間してケーブルトレイ５の周囲に配置されているカーブ９の上方に離間してケーブルトレイ５の周囲を覆うように、断面Ｌ字型の長尺材１３の上端に載せて、複数の矩形状の第１のボード１７を平面視矩形に配置する。そして、ケーブルトレイ５に第１のボード１７をビスおよびボンドまたは両面テープ等で適宜固定する。
【００３１】
次に、図６に示すように、立面視において第１のボード１７と略同じ大きさの断面コ字型の第１の板金１９を、各第１のボード１７を覆うように配置する。そして、第１のボード１７に第１の板金１９を、ビスおよびボンドまたは両面テープ等で適宜固定する。後工程で吹き付けられるポリウレア樹脂を接着するためのプライマーが、耐火ボードに付着しにくいため、第１のボード１７に第１の板金１９が固定される。
【００３２】
次に、図７，図８に示すように、第１のボード１７の下端とＬ字型の長尺材１３またはカーブ９との間に隙間ができないように、第１のボード１７の下端とカーブ９との間に四方からバックアップ材２１を配置する。バックアップ材２１としては、グラスウールの断熱材を使用する。
【００３３】
次に、図９，図１０に示すように、第１の板金１９、バックアップ材２１、カーブ９、及び、床７を覆うようにポリウレア２３を隙間なく吹き付ける。床７上へのポリウレア２３の吹き付けは、平面視において第２の板金の下部の形状より広く行う。
【００３４】
ポリウレア２３が乾燥した後に、図１１に示すように、ポリウレア２３を覆うように、第２のボード２５を配置し、ポリウレア２３及び第２のボード２５を覆うように第２の板金２７を床７上に配置する。
【００３５】
＜変形例１＞
上記実施の形態においては、ケーブルトレイ５が２つの例について説明した。しかし、これに限られず、ケーブルトレイ５が、１または３以上の場合でも上記実施例と同様にケーブルトレイを１本の柱状にすることにより、本発明に係る止水構造を提供し、止水施工方法を実施することができる。
【００３６】
＜変形例２＞
上記実施の形態においては、バックアップ材２１としては、グラスウールの断熱材を使用する例について説明した。しかし、これに限られず、バックアップ材２１としては、ロックウール、耐火ボード等の断熱材を使用してもよい。この場合でも、上記実施例と同様にポリウレア２３を吹き付けることにより、本発明に係る止水構造を提供し、止水施工方法を実施することができる。
【００３７】
＜変形例３＞
上記実施の形態においては、複数の第１の板金１９を使用する例について説明した。しかし、これに限られず、平面視矩形の１枚の板金を使用してもよい。複数の第１の板金１９を使用する場合に比べて、運搬しにくくなるが、取り付け工程を簡略化することができる。
【００３８】
＜変形例４＞
上記実施の形態においては、２つの第２の板金２７を使用する例について説明した。しかし、これに限られず、３つ以上の分割された板金からなる第２の板金を使用してもよい。２つの分割された板金第２の板金を使用する場合に比べて接合工程が増えるが、運搬が容易になる。また、１枚の板金からなる第２の板金を使用してもよい。１枚の板金とすることにより接合工程を減らすことができる。なお、接合は、はぜ折りで行われる。
【００３９】
＜変形例５＞
上記実施の形態においては、ポリウレアを耐火ボードの上端まで吹き付けた例について説明した。しかし、これに限られず、ポリウレアを耐火ボードの上端まで吹き付けなくてもよい。この場合でも、下階への漏水を防止することができる。
【符号の説明】
【００４０】
１  止水構造
３  電源ケーブル
５  ケーブルトレイ
７  床
９  カーブ
１３  長尺材
１５  横板材
１７  第１のボード
１９  第１の板金
２１  バックアップ材
２３  ポリウレア
２５  第２のボード
２７  第２の板金
【図１】
2015154619.tif 000003
【図２】
2015154619.tif 000004
【図３】
2015154619.tif 000005
【図４】
2015154619.tif 000006
【図５】
2015154619.tif 000007
【図６】
2015154619.tif 000008
【図７】
2015154619.tif 000009
【図８】
2015154619.tif 000010
【図９】
2015154619.tif 000011
【図１０】
2015154619.tif 000012
【図１１】
2015154619.tif 000013